(57)【要約】【課題】任意の見出し語に対応する言語訳や意味内容などの説明情報を検索表示する辞書検索装置で、例えば辞書データベース内の説明情報として集録されている表や図、年鑑、外部入力された画像データなどに含まれる文字列を直接指定して辞書検索を行うこと。【解決手段】ユーザ所望の検索語に応じた見出し語検索処理に伴い、検索された見出し語に対応する説明情報（画像）Ｇが表示された状態で、当該説明情報（画像）Ｇ内における所望の文字列「ピアノ」の部分が範囲指定されると、この指定範囲Ｈの画像に含まれる文字列が文字認識される。そして文字認識された前記説明情報（画像）Ｇ内の指定範囲Ｈの文字列を検索語「ピアノ」としてジャンプ検索による見出し語検索処理が実行され、一致検索された見出し語一覧画面Ｇ２および当該見出し語一覧から選択された見出し語に対応する説明情報（本文）画面Ｇ３が表示される【選択図】      図３
2008225676.tif 000002
【特許請求の範囲】
【請求項１】
複数種類の見出し語と当該各見出し語それぞれの説明情報とを対応付けた辞書データを記憶する辞書データ記憶手段と、
画像を表示する画像表示手段と、
この画像表示手段により表示された画像の一部の範囲をユーザ操作に応じて指定する画像範囲指定手段と、
この画像範囲指定手段により指定された範囲内の画像を文字として認識する文字認識手段と、
この文字認識手段により認識された文字に対応する情報を前記辞書データ記憶手段により記憶された辞書データの中から検索する辞書検索手段と、
この辞書検索手段により検索された情報を表示する検索情報表示手段と、
を備えたことを特徴とする辞書検索装置。
【請求項２】
前記辞書データ記憶手段により記憶される説明情報は画像の情報を含み、
前記画像表示手段は、前記辞書データ記憶手段により記憶された辞書データの中の説明情報に含まれる画像を表示する、
ことを特徴とする請求項１に記載の辞書検索装置。
【請求項３】
前記辞書検索手段は、前記文字認識手段により認識された文字と前記画像表示手段により表示された画像を含む説明情報に対応付けられた見出し語とに対応する情報を前記辞書データ記憶手段により記憶された辞書データの中から検索する、
ことを特徴とする請求項２に記載の辞書検索装置。
【請求項４】
画像データと当該画像データに対応する分類情報とを取得する画像情報取得手段と、
この画像情報取得手段により取得された画像データに対応する分類情報に従って、前記辞書データ記憶手段により記憶される辞書データの中から検索先の辞書データを決定する検索辞書決定手段とをさらに備え、
前記画像表示手段は、前記画像情報取得手段により取得された画像データを表示し、
前記辞書検索手段は、前記文字認識手段により認識された文字に対応する情報を前記検索辞書決定手段により決定された辞書データの中から検索する、
ことを特徴とする請求項１に記載の辞書検索装置。
【請求項５】
テレビジョン放送を受信するテレビ受信手段をさらに備え、
前記画像情報取得手段は、前記テレビ受信手段により受信された放送番組の動画像データを取り込み、この取り込んだ時点の静止画像データと当該放送番組に対応する分類情報を取得し、
前記画像表示手段は、前記画像情報取得手段により取得された静止画像データを表示する、
ことを特徴とする請求項４に記載の辞書検索装置。
【請求項６】
コンピュータを、
複数種類の見出し語と当該各見出し語それぞれの説明情報とを対応付けた辞書データを記憶する辞書データ記憶手段、
画像を表示部に表示させる画像表示制御手段、
この画像表示制御手段により表示された画像の一部の範囲をユーザ操作に応じて指定する画像範囲指定手段、
この画像範囲指定手段により指定された範囲内の画像を文字として認識する文字認識手段、
この文字認識手段により認識された文字に対応する情報を前記辞書データ記憶手段により記憶されている辞書データの中から検索する辞書検索手段、
この辞書検索手段により検索された情報を表示部に表示させる検索情報表示制御手段、
として機能させるようにしたコンピュータ読み込み可能な辞書検索制御プログラム。
【発明の詳細な説明】
【技術分野】
【０００１】
本発明は、電子データ化した種々の辞書データベースを記憶して任意の見出し語に対応する言語訳や意味内容などの説明情報を検索表示するための辞書検索装置及びその制御プログラムに関する。
【背景技術】
【０００２】
従来から、英和辞典，英英辞典，英類語辞典，和英辞典，国語辞典などの各種の辞典や辞書を電子データ化してＲＯＭなどの記憶媒体に格納し、これに基づき各種の言語や語句を検索文字列として入力し、検索された見出し語（単語など）の訳語や意味内容などの説明情報を読み出して表示するようにした辞書検索装置が広く実用されている。
【０００３】
近年このような辞書検索装置では、所望の見出し語を検索してその見出し語および説明情報のテキストを表示させたり、インターネットやメモリカードなどを利用して外部から入力された種々のテキストを表示させたりした後に、当該テキスト中にある任意の文字列を直接指定し、この指定された文字列についてさらに辞書検索を行うようにしたジャンプ検索機能が搭載されている。
【０００４】
従来、このジャンプ検索機能において、表示中のテキストからジャンプ検索対象の文字あるいは文字列を指定すると、指定された文字（文字列）と一致する見出し語が、ユーザ選択された辞書データベースから検索されて表示されるようになっている（例えば、特許文献１参照。）。
【特許文献１】特開２００１−１３４５８５号公報
【発明の開示】
【発明が解決しようとする課題】
【０００５】
前記従来の辞書検索装置のジャンプ検索機能において、辞書検索された説明情報などのテキストや外部入力されたテキストを対象に指定されるジャンプ検索の文字列（検索対象文字列）は、元々のテキストが文字コードで編集され文字フォントに変換されて表示されているものであるため、指定された検索対象文字列はそのまま文字コードで扱われて辞書データベース内の各種データと一致検索を図ることができる。
【０００６】
しかしながら、例えば辞書データベース内の説明情報として集録されている表や図、年鑑などはビットマップの画像データであるため、その画像データとして表示された文字列を指定しても、これを検索対象文字列としてジャンプ検索を行うことはできない。よって当然ながら、インターネットやメモリカードなどを利用して入力表示された画像データに含まれる文字列についても、ジャンプ検索の対象文字列として指定しこれを検索することはできない問題がある。
【０００７】
本発明は、このような課題に鑑みなされたもので、例えば辞書データベース内の説明情報として集録されている表や図、年鑑、外部取得された画像データなどに含まれる文字列を直接指定して辞書検索を行うことが可能になる辞書検索装置及びその制御プログラムを提供することを目的とする。
【課題を解決するための手段】
【０００８】
請求項１に係る辞書検索装置は、複数種類の見出し語と当該各見出し語それぞれの説明情報とを対応付けた辞書データを記憶する辞書データ記憶手段と、画像を表示する画像表示手段と、この画像表示手段により表示された画像の一部の範囲をユーザ操作に応じて指定する画像範囲指定手段と、この画像範囲指定手段により指定された範囲内の画像を文字として認識する文字認識手段と、この文字認識手段により認識された文字に対応する情報を前記辞書データ記憶手段により記憶された辞書データの中から検索する辞書検索手段と、この辞書検索手段により検索された情報を表示する検索情報表示手段と、を備えたことを特徴としている。
【０００９】
請求項２に係る辞書検索装置は、前記請求項１に記載の辞書検索装置において、前記辞書データ記憶手段により記憶される説明情報は画像の情報を含み、前記画像表示手段は、前記辞書データ記憶手段により記憶された辞書データの中の説明情報に含まれる画像を表示する、ことを特徴としている。
【００１０】
請求項３に係る辞書検索装置は、前記請求項２に記載の辞書検索装置において、前記辞書検索手段は、前記文字認識手段により認識された文字と前記画像表示手段により表示された画像を含む説明情報に対応付けられた見出し語とに対応する情報を前記辞書データ記憶手段により記憶された辞書データの中から検索する、ことを特徴としている。
【００１１】
請求項４に係る辞書検索装置は、前記請求項１に記載の辞書検索装置において、画像データと当該画像データに対応する分類情報とを取得する画像情報取得手段と、この画像情報取得手段により取得された画像データに対応する分類情報に従って、前記辞書データ記憶手段により記憶される辞書データの中から検索先の辞書データを決定する検索辞書決定手段とをさらに備え、前記画像表示手段は、前記画像情報取得手段により取得された画像データを表示し、前記辞書検索手段は、前記文字認識手段により認識された文字に対応する情報を前記検索辞書決定手段により決定された辞書データの中から検索する、ことを特徴としている。
【００１２】
請求項５に記載の辞書検索装置は、前記請求項４に記載の辞書検索装置において、テレビジョン放送を受信するテレビ受信手段をさらに備え、前記画像情報取得手段は、前記テレビ受信手段により受信された放送番組の動画像データを取り込み、この取り込んだ時点の静止画像データと当該放送番組に対応する分類情報を取得し、前記画像表示手段は、前記画像情報取得手段により取得された静止画像データを表示する、ことを特徴としている。
【発明の効果】
【００１３】
本発明によれば、例えば辞書データベース内の説明情報として集録されている表や図、年鑑、外部取得された画像データなどに含まれる文字列を直接指定して辞書検索を行うことが可能になる辞書検索装置及びその制御プログラムを提供できる。
【発明を実施するための最良の形態】
【００１４】
以下図面により本発明の実施の形態について説明する。
【００１５】
（第１実施形態）
図１は、本発明の辞書検索装置の実施形態に係る携帯機器（電子辞書）１０の電子回路の構成を示すブロック図である。
【００１６】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。
【００１７】
この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１８】
ＣＰＵ１１は、例えばフラッシュメモリからなるＲＯＭ１２内に予め記憶された装置制御プログラム、あるいはメモリカードなどの外部記憶媒体１４から外部入出力Ｉ／Ｆ１５を介して前記ＲＯＭ１２に読み込まれた装置制御プログラム、あるいは図示しないインターネット上のＷｅｂサーバ（この場合はプログラムサーバ）から外部入出力Ｉ／Ｆ１５を介して前記ＲＯＭ１２に読み込まれた装置制御プログラムに応じて、ＲＡＭ１３を作業用のメモリとし回路各部の動作を制御する。
【００１９】
そして、前記ＲＯＭ１２に記憶された装置制御プログラムは、キーやタッチパネルからなる入力部１６からのユーザ操作に応じた入力信号、あるいは外部入出力Ｉ／Ｆ１５を介して接続される図示しないインターネット上の各Ｗｅｂサーバとの通信信号、あるいは同外部入出力Ｉ／Ｆ１５を介して外部接続されるＥＥＰＲＯＭ，ＲＡＭ，ＲＯＭなどのメモリカード（記憶媒体）１４との接続通信信号に応じて起動される。
【００２０】
前記ＣＰＵ１１には、前記ＲＯＭ１２、ＲＡＭ１３、外部入出力Ｉ／Ｆ１５、入力部１６が接続される他に、ＬＣＤからなる表示部１７などが接続される。
【００２１】
そしてＲＡＭ１３には、例えば地上波デジタルテレビジョン放送を受信するためのテレビ映像受信部１８が接続され、このテレビ映像受信部１８により受信されたテレビ映像は、ユーザ操作に応じて表示部１７に表示され、また適宜ＲＡＭ１３内に記憶格納される。
【００２２】
ＲＯＭ１２には、当該携帯機器（電子辞書）１０の全体の動作を司るシステムプログラムや外部入出力Ｉ／Ｆ１５を介してインターネット上の各Ｗｅｂサーバとデータ通信するための通信プログラムが記憶される他に、辞書データベース（１２ｄ）に集録された各種の見出し語の中からユーザ入力あるいは指定された検索対象文字列に一致する見出し語を検索しその訳語・意味内容などの本文や画像からなる説明情報を表示させるための見出し語検索プログラム１２ａ、また前記表示部１７において表示される各種の画像データ上で指定された任意の文字列を文字認識して文字コードに変換するための文字認識プログラム１２ｂ、辞書データベース（１２ｄ）に集録された各種の見出し語および各対応する説明情報（本文）の中からユーザ入力あるいは指定された検索対象文字列に一致する見出し語（文字列）を検索しその説明情報を表示させるための見出し語＆本文検索プログラム１２ｃが記憶される。
【００２３】
そして前記ＲＯＭ１２には、辞書データベース１２ｄが記憶される。
【００２４】
辞書データベース１２ｄには、「広○苑」「国語辞典」「百科事典」「医学事典」「漢字辞典」「英和辞典」「和英辞典」「日本史事典」など、種類の異なる多数の辞書データが予め、あるいはダウンロードされて複数辞書記憶されるもので、各辞書データに集録され所定の順序で配列された多数の見出し語にはそれぞれ、当該見出し語の訳語・意味内容などの本文およびそのイメージを表現する画像からなる説明情報が対応付けられて記憶される。
【００２５】
ＲＡＭ１３には、入力された検索対象文字列のメモリエリア、この検索対象文字列に一致検索された検索見出し語や検索文字列のメモリエリア、画像データ上で指定された文字列を文字認識して得られる認識文字列のメモリエリア、および前記各種の装置制御プログラムに従いＣＰＵ１１に入出力される種々のデータが必要に応じて記憶されるメモリエリアなどが確保される。
【００２６】
入力部１６のキーボードパネルには、ひらがな，カタカナ，漢字，英数字を任意入力するための一連の文字入力キー１６ａ、表示されるカーソルＣの移動操作やデータ項目の選択操作を行うためのカーソルキー１６ｂ、テキストあるいは画像によって表示される任意の文字列を直接指定しこれを検索対象文字列として辞書のジャンプ検索を行うためのジャンプモードキー１６ｃ、カーソル選択されたデータ項目の確定や辞書検索の実行開始などを指示するための決定キー１６ｄなどが備えられる。
【００２７】
次に、前記構成の携帯機器（電子辞書）１０による第１実施形態のジャンプ検索表示機能について説明する。
【００２８】
図２は、前記携帯機器（電子辞書）１０による第１実施形態のジャンプ検索処理(1)を示すフローチャートである。
【００２９】
図３は、前記第１実施形態のジャンプ検索処理(1)に伴う表示動作を説明するための表示状態図である。
【００３０】
この第１実施形態のジャンプ検索処理では、通常の辞書検索手順に従った見出し語検索処理により、所望の見出し語に対応する説明情報である画像を表示させ、当該表示された説明情報の画像の中から検索対象文字列を直接指定してジャンプ検索処理を行う場合について説明する。
【００３１】
先ず、入力部１６によるユーザ操作に応じた通常の辞書検索手順に従い、所望の種類の辞書が選択指定されると共に検索対象の文字列（検索語）が入力され、見出し語検索処理（１２ａ）が実行されると、前記入力された検索語と一致する見出し語が前記指定された辞書の辞書データベース１２ｄの中から検索され、見出し語一覧画面（図示せず）として表示部１７に表示される。
【００３２】
この見出し語一覧画面において、ユーザ操作により所望の見出し語が選択指定されると、当該指定された見出し語に対応する説明情報（本文）が前記辞書データベース１２ｄから読み出され表示部１７に表示される（ステップＳ１）。
【００３３】
例えば見出し語「強弱記号」に対応する説明情報（本文）の中から（画像）の表示が指示されると（ステップＳ２）、図３（Ａ）に示すように、当該見出し語「強弱記号」に対応した説明情報（画像）画面Ｇが表示部１７に表示される（ステップＳ３）。
【００３４】
この説明情報（画像）画面Ｇの表示状態において、ジャンプモードキー１６ｃの入力によりジャンプ検索処理が起動され（ステップＳ４）、当該画面上に表示されているポインタをカーソルキー１６ｂにより移動表示させて、その説明情報（画像）に含まれる所望の文字列、例えば「ピアノ」が範囲指定されると（ステップＳ５）、この指定範囲Ｈの文字列「ピアノ」の部分の画像について文字認識処理（１２ｂ）が実行され、認識された文字列「ピアノ」がＲＡＭ１３に一時記憶される（ステップＳ６）。ここで、ステップＳ５における範囲指定の方法としては、例えばポインタをカーソルキー１６ｂにより移動表示させて、指定したい範囲の左上と右下で決定キー１６ｄを入力することで、その２点を結ぶ線分を対角線とする長方形として指定範囲を定めることができる。
【００３５】
すると、図３（Ｂ）に示すように、今回のジャンプ検索先の辞書をユーザにより選択させるためのジャンプ先辞書選択画面Ｇ１が表示部１７に表示され、このジャンプ先辞書選択画面Ｇ１において、カーソルキー１６ｂの操作入力による反転カーソルＣの上下方向移動表示に応じてジャンプ先の辞書が選択されると（ステップＳ７）、前記文字認識されて一時記憶されている文字列「ピアノ」を検索語として、前記選択されたジャンプ先辞書の辞書データベース１２ｄから該検索語「ピアノ」に一致する見出し語が検索される（ステップＳ８）。
【００３６】
すると、前記ステップＳ８における見出し語検索において、前記検索語「ピアノ」に一致該当する見出し語の候補が“０件”（無し）であるか、または“１件”（有り）であるか、または複数件有るかが判断される（ステップＳ９，Ｓ１０）。
【００３７】
ここで、前記検索語「ピアノ」に一致該当する見出し語の候補が複数件有ると判断された場合には（ステップＳ９→Ｓ１０（ＮＯ））、図３（Ｃ）に示すように、その見出し語一覧画面Ｇ２が表示されると共に、反転カーソルＣにより選択されているところの見出し語に対応した説明情報（本文）が前記辞書データベース１２ｄから読み出されその説明情報（本文）ウインドウＷが並べて表示される（ステップＳ１１）。
【００３８】
そして、前記見出し語一覧画面Ｇ２において、カーソルキー１６ｂの操作入力による反転カーソルＣの上下方向移動表示に応じてユーザ所望の位置の見出し語「ピアノ」が選択されると、図３（Ｄ）に示すように、当該選択されたユーザ所望の位置の見出し語「ピアノ」に対応した説明情報（本文）が前記辞書データベース１２ｄから読み出され、説明情報（本文）画面Ｇ３として表示部１７に表示される。
【００３９】
一方、前記ステップＳ１０において、前記検索語「ピアノ」に一致該当する見出し語の候補が“１件”であると判断された場合には（ステップＳ１０（ＹＥＳ））、前記図３（Ｃ）で示した見出し語一覧画面Ｇ２は表示されることなく、例えば図３（Ｄ）で示したように、当該１件の見出し語候補「ピアノ」に対応した説明情報（本文）が前記辞書データベース１２ｄから読み出され、説明情報（本文）画面Ｇ３として表示部１７に表示される（ステップＳ１２）。
【００４０】
また一方、前記ステップＳ９において、前記検索語「ピアノ」に一致該当する見出し語の候補が“０件”（無し）であると判断された場合には（ステップＳ９（ＹＥＳ））、「見出し語の該当候補無し。本文から検索します。」のメッセージ画面が表示部１７に表示され、改めて、前記文字認識されて一時記憶されている文字列「ピアノ」を検索語とし、前記選択されたジャンプ先辞書の辞書データベース１２ｄの中から該検索語「ピアノ」に一致する見出し語だけでなく、全見出し語に対応する説明情報（本文）に含まれる文字列「ピアノ」が検索される（ステップＳ１３）。
【００４１】
すると、前記ステップＳ１３における見出し語および説明情報（本文）内文字列の検索において、前記検索語「ピアノ」に一致該当する見出し語あるいは説明情報（本文）内文字列の候補が“０件”（無し）であるか、または“１件”（有り）であるか、または複数件有るかが判断される（ステップＳ１４，Ｓ１５）。
【００４２】
ここで、前記検索語「ピアノ」に一致該当する見出し語あるいは説明情報（本文）内文字列の候補が複数件有ると判断された場合には（ステップＳ１４→Ｓ１５（ＮＯ））、その見出し語および説明情報（本文）内文字列の一覧画面（見出し語一覧画面Ｇ２（図３（Ｃ））と類似）が表示される（ステップＳ１６）。
【００４３】
この見出し語および説明情報（本文）内文字列の一覧画面において、カーソルキー１６ｂの操作入力による反転カーソルＣの上下方向移動表示に応じてユーザ所望の位置の見出し語あるいは説明情報（本文）内文字列が選択されると、当該選択されたユーザ所望の位置の見出し語に対応した説明情報（本文）あるいは説明情報（本文）内文字列が含まれているところの説明情報（本文）が前記辞書データベース１２ｄから読み出され、説明情報（本文）画面Ｇ３（図３（Ｄ）参照）として表示部１７に表示される。
【００４４】
一方、前記ステップＳ１５において、前記検索語「ピアノ」に一致該当する見出し語あるいは説明情報（本文）内文字列の候補が“１件”であると判断された場合には（ステップＳ１５（ＹＥＳ））、前記見出し語および説明情報（本文）内文字列の一覧画面は表示されることなく、当該１件の見出し語候補「ピアノ」に対応した説明情報（本文）あるいは説明情報（本文）内文字列候補「ピアノ」が含まれているところの説明情報（本文）が前記辞書データベース１２ｄから読み出され、説明情報（本文）画面Ｇ３（図３（Ｄ）参照）として表示部１７に表示される（ステップＳ１７）。
【００４５】
また一方、前記ステップＳ１４において、前記検索語「ピアノ」に一致該当する見出し語あるいは説明情報（本文）内文字列の候補が“０件”（無し）であると判断された場合には（ステップＳ１４（ＹＥＳ））、「該当候補無し」のメッセージ画面が表示部１７に表示され前記一連のジャンプ検索処理が終了される（ステップＳ１８→ＥＮＤ）。
【００４６】
したがって、前記構成の携帯機器（電子辞書）１０による第１実施形態のジャンプ検索表示機能によれば、ユーザ所望の検索語に応じた見出し語検索処理に伴い、検索された見出し語に対応する説明情報（画像）Ｇが表示された状態で、当該説明情報（画像）Ｇ内における所望の文字列の部分が範囲指定されると、この指定範囲Ｈの画像に含まれる文字列が文字認識される。そして文字認識された前記説明情報（画像）Ｇ内の指定範囲Ｈの文字列を検索語としてジャンプ検索による見出し語検索処理が実行され、一致検索された見出し語一覧画面Ｇ２および当該見出し語一覧から選択された見出し語に対応する説明情報（本文）画面Ｇ３が表示されるので、見出し語ジャンプ検索の元になる文字列情報が表や図、年鑑など、辞書見出し語の説明画像として与えられた情報であっても、当該画像情報内の所望の文字列を直接指定して容易にジャンプ辞書検索を行うことができる。
【００４７】
また、前記構成の携帯機器（電子辞書）１０による第１実施形態のジャンプ検索表示機能によれば、前記画像内文字列を直接範囲指定したジャンプ辞書検索に伴い、文字認識された検索語に一致該当する見出し語候補が１件も無かった場合には、改めて辞書データベース１２ｄ内の全見出し語だけでなく、当該全見出し語に対応付けられた全ての説明情報（本文）をも検索先として、前記検索語に一致該当する見出し語候補あるいは説明情報（本文）内文字列の候補が検索されて表示されるので、検索語に対応する何らかの説明情報を最大限に取得するジャンプ辞書検索を行うことができる。
【００４８】
なお、前記第１実施形態のジャンプ検索表示機能では、通常の辞書検索手順に従った見出し語検索処理により検索表示された所望の見出し語に対応する説明情報（画像）の中から範囲指定された文字列を、文字認識により検索語としてジャンプ辞書検索を行う構成としたが、次の第２実施形態のジャンプ検索表示機能として説明するように、前記説明情報（画像）の中から範囲指定されて文字認識された文字列だけを検索語（第１）としてジャンプ辞書検索するのではなく、当該認識文字列が存在した説明情報（画像）に対応する見出し語をも検索語（第２）に加え、この第１，第２の検索語に基づきジャンプ辞書検索を行う構成としてもよい。
【００４９】
（第２実施形態）
図４は、前記携帯機器（電子辞書）１０による第２実施形態のジャンプ検索処理(2)を示すフローチャートである。
【００５０】
図５は、前記第２実施形態のジャンプ検索処理(2)に伴う表示動作の具体例（その１）を説明するための表示状態図である。
【００５１】
この図４に示す第２実施形態のジャンプ検索処理(2)において、前記図２で示した第１実施形態のジャンプ検索処理(1)と同様の処理ステップについては、それと同一の符号を付してその詳細な説明を省略する。
【００５２】
すなわち、この第２実施形態のジャンプ検索処理(2)において、例えば図５（Ａ）に示すように、最初の検索見出し語「強弱記号」に対応した説明情報（画像）画面Ｇの表示状態において、ジャンプモードキー１６ｃの入力によりジャンプ検索処理が起動され（ステップＳ４）、当該画面上に表示されているポインタをカーソルキー１６ｂにより移動表示させて、その説明情報（画像）に含まれる所望の文字列、例えば「ピアノ」が範囲指定されると（ステップＳ５）、この指定範囲Ｈの文字列「ピアノ」の部分の画像について文字認識処理（１２ｂ）が実行される（ステップＳ６）。
【００５３】
すると、図５（Ｂ）に示すように、ジャンプ先辞書選択画面Ｇ１が表示され、当該ジャンプ先辞書選択画面Ｇ１においてジャンプ先の辞書が選択されると（ステップＳ７）、前記文字認識された文字列「ピアノ」を第１の検索語、当該認識文字列「ピアノ」が存在した前記説明情報（画像）画面Ｇ（図５（Ａ）参照）に対応する最初の検索見出し語「強弱記号」を第２の検索語として、前記選択されたジャンプ先辞書の辞書データベース１２ｄから同第１，第２の検索語「ピアノ」「強弱記号」にそれぞれ一致する文字列を含む見出し語が絞り込み検索される（ステップＳ８ａ）。
【００５４】
そして、前記第１，第２の検索語「ピアノ」「強弱記号」にそれぞれ一致該当する文字列を含む見出し語の候補が“０件”（無し）であると判断された場合には（ステップＳ９（ＹＥＳ））、「見出し語の該当候補無し。本文から検索します。」のメッセージ画面が表示部１７に表示され、改めて、前記選択されたジャンプ先辞書の辞書データベース１２ｄにおける全見出し語および同全見出し語に対応した全説明情報（本文）の中から、前記第１，第２の検索語「ピアノ」「強弱記号」にそれぞれ一致する文字列を含む見出し語あるいは説明情報（本文）内文字列の候補が検索される（ステップＳ１３ａ）。
【００５５】
すると、例えば図５（Ｃ）に示すように、前記第１，第２の検索語「ピアノ」「強弱記号」にそれぞれ一致する見出し語「ピアノ」および説明情報（本文）内文字列「強弱記号」を何れも有する説明情報（本文）が検索され、その説明情報（本文）画面Ｇ３として表示されるようになる（ステップＳ１５→Ｓ１７）。
【００５６】
図６は、前記第２実施形態のジャンプ検索処理(2)に伴う表示動作の具体例（その２）を説明するための表示状態図である。
【００５７】
すなわち、前記第２実施形態のジャンプ検索処理(2)に伴い、例えば図６（Ａ）に示すように、最初の検索見出し語「徳川」に対応した説明情報（画像）画面Ｇの表示状態において、ジャンプモードキー１６ｃの入力によりジャンプ検索処理が起動され（ステップＳ４）、当該画面上に表示されているポインタをカーソルキー１６ｂにより移動表示させて、その説明情報（画像）に含まれる所望の文字列、例えば「家定」が範囲指定されると（ステップＳ５）、この指定範囲Ｈの文字列「家定」の部分の画像について文字認識処理（１２ｂ）が実行される（ステップＳ６）。
【００５８】
すると、図６（Ｂ）に示すように、ジャンプ先辞書選択画面Ｇ１が表示され、当該ジャンプ先辞書選択画面Ｇ１においてジャンプ先の辞書が選択されると（ステップＳ７）、前記文字認識された文字列「家定」を第１の検索語、当該認識文字列「家定」が存在した前記説明情報（画像）画面Ｇ（図６（Ａ）参照）に対応する最初の検索見出し語「徳川」を第２の検索語として、前記選択されたジャンプ先辞書の辞書データベース１２ｄから同第１，第２の検索語「家定」「徳川」にそれぞれ一致する文字列を含む見出し語が検索される（ステップＳ８ａ）。
【００５９】
そして、前記第１，第２の検索語「家定」「徳川」にそれぞれ一致該当する文字列を含む見出し語の候補が“０件”（無し）であると判断された場合には（ステップＳ９（ＹＥＳ））、改めて、前記選択されたジャンプ先辞書の辞書データベース１２ｄにおける全見出し語および同全見出し語に対応した全説明情報（本文）の中から、前記第１，第２の検索語「家定」「徳川」にそれぞれ一致する文字列を含む見出し語あるいは説明情報（本文）内文字列の候補が検索される（ステップＳ１３ａ）。
【００６０】
すると、例えば図６（Ｃ）に示すように、前記第１，第２の検索語「家定」「徳川」にそれぞれ一致する１件の見出し語「徳川家定」が検索され、その説明情報（本文）画面Ｇ３として表示されるようになる（ステップＳ１０→Ｓ１２）。
【００６１】
したがって、前記構成の携帯機器（電子辞書）１０による第２実施形態のジャンプ検索表示機能によれば、当初の検索文字列に対応した説明情報（画像）の中で範囲指定されて文字認識された文字列「ピアノ」（「家定」）だけを検索語（第１）としてジャンプ辞書検索するのではなく、当該認識文字列「ピアノ」（「家定」）が存在した説明情報（画像）Ｇに対応する見出し語「強弱記号」（「徳川」）をも検索語（第２）に加え、この第１，第２の検索語「ピアノ」「強弱記号」（「家定」「徳川」）に基づきジャンプ辞書検索を行うので、前記第１実施形態と同様に、見出し語ジャンプ検索の元になる文字列情報が表や図、年鑑など、辞書見出し語の説明画像として与えられた情報であっても、当該画像情報内の所望の文字列を直接指定して容易にジャンプ辞書検索を行うことができるという利点だけでなく、ユーザが検索して得ようとしている辞書内の情報により深く関係した内容の説明情報（本文）を検索して表示させることができる。
【００６２】
なお、前記第１，第２実施形態のジャンプ検索表示機能では、何れの実施形態の場合も、辞書データベース１２ｄに基づき検索された見出し語に対応する説明情報（画像）において、ユーザによる指定範囲Ｈを文字認識して得られた文字列を検索語としてジャンプ辞書検索するものとして構成したが、次の第３実施形態のジャンプ検索表示機能において説明するように、テレビ映像受信部１８により受信表示されたデジタルテレビジョン放送の所望のテレビ静止画像において、ユーザによる指定範囲Ｈを文字認識して得られた文字列を検索語とすると共に、放送受信データに含まれる番組分類情報に従って検索先の辞書を決定し、ジャンプ辞書検索する構成としてもよい。
【００６３】
（第３実施形態）
図７は、前記携帯機器（電子辞書）１０による第３実施形態のジャンプ検索処理(3)を示すフローチャートである。
【００６４】
図８は、前記第３実施形態のジャンプ検索処理(3)に伴う表示動作を説明するための表示状態図である。
【００６５】
この第３実施形態のジャンプ検索処理では、例えば地上波デジタルテレビジョン放送の受信により得られた所望の番組のテレビ画像（静止画）を表示させ、当該表示されたテレビ画像の中から検索対象文字列を直接指定してジャンプ検索処理を行う場合について説明する。
【００６６】
先ず、ユーザ操作に応じてテレビ映像受信部１８により受信された所望の番組のテレビ画像と当該所望の番組の分類情報が取り込まれると（ステップＡ１）、図８（Ａ）に示すように、当該所望の番組（例えば「フランス語講座」）の取り込み時点のテレビ画像（静止画）Ｇｔが表示部１７に表示される（ステップＡ２）。
【００６７】
このテレビ画像Ｇｔの表示状態において、ジャンプモードキー１６ｃの入力によりジャンプ検索処理が起動され（ステップＡ３）、当該画面上に表示されているポインタをカーソルキー１６ｂにより移動表示させて、そのテレビ画像Ｇｔに含まれる所望の文字列、例えば「Bonjour」が範囲指定されると（ステップＡ４）、この指定範囲Ｈの文字列「Bonjour」の部分の画像について文字認識処理（１２ｂ）が実行され、認識された文字列「Bonjour」がＲＡＭ１３に一時記憶される（ステップＡ５）。
【００６８】
すると、前記テレビ画像Ｇｔに対応した放送受信データに含まれる番組分類情報（例えば「語学講座（フランス語）」）に従ってジャンプ検索先の辞書（仏和辞書）が決定され（ステップＡ６）、前記文字認識されて一時記憶されている文字列「Bonjour」を検索語として、前記決定されたジャンプ先辞書の辞書データベース１２ｄから該検索語「Bonjour」に一致する見出し語が検索される（ステップＡ７）。
【００６９】
すると、前記ステップＡ７における見出し語検索において、前記検索語「Bonjour」に一致該当する見出し語の候補が“０件”（無し）であるか、または“１件”（有り）であるか、または複数件有るかが判断される（ステップＡ８，Ａ９）。
【００７０】
ここで、前記検索語「Bonjour」に一致該当する見出し語の候補が複数件有ると判断された場合には（ステップＡ８→Ａ９（ＮＯ））、その見出し語一覧画面Ｇ２が表示されると共に、反転カーソルＣにより選択されているところの見出し語に対応した説明情報（本文）が前記辞書データベース１２ｄから読み出されその説明情報（本文）ウインドウＷとして並べて表示される（ステップＡ１０）（図３（Ｂ）参照）。
【００７１】
一方、前記ステップＡ９において、前記検索語「Bonjour」に一致該当する見出し語の候補が“１件”であると判断された場合には（ステップＡ９（ＹＥＳ））、図８（Ｂ）に示すように、当該１件の見出し語候補「Bonjour」に対応した説明情報（本文）が前記辞書データベース１２ｄから読み出され、説明情報（本文）画面Ｇ３として表示部１７に表示される（ステップＡ１１）。
【００７２】
また一方、前記ステップＡ８において、前記検索語「Bonjour」に一致該当する見出し語の候補が“０件”（無し）であると判断された場合には（ステップＡ８（ＹＥＳ））、「見出し語の該当候補無し。本文から検索します。」のメッセージ画面が表示部１７に表示され、改めて、前記文字認識されて一時記憶されている文字列「Bonjour」を検索語とし、前記決定されたジャンプ先辞書の辞書データベース１２ｄの中から該検索語「Bonjour」に一致する見出し語だけでなく、全見出し語に対応する説明情報（本文）に含まれる文字列「Bonjour」が検索される（ステップＡ１２）。
【００７３】
これ以降、ステップＡ１３〜Ａ１７での検索結果の件数に応じた表示処理については、前記図２における第１実施形態のジャンプ検索処理(1)でのステップＳ１４〜Ｓ１８の処理と同様であるためその説明を省略する。
【００７４】
したがって、前記構成の携帯機器（電子辞書）１０による第３実施形態のジャンプ検索表示機能によれば、テレビ映像受信部１８により受信されたデジタルテレビジョン放送の所望の場面でのテレビ画像（静止画像）Ｇｔが取り込まれて表示された状態で、当該テレビ画像Ｇｔ内における所望の文字列の部分が範囲指定されると、この指定範囲Ｈの画像に含まれる文字列が文字認識されると共に、放送受信データに含まれる番組分類情報に従ってジャンプ検索先の辞書が決定される。すると、前記文字認識されたテレビ画像Ｇｔ内指定範囲Ｈの文字列を検索語として前記決定された辞書によりジャンプ検索による見出し語検索処理が実行され、一致検索された見出し語に対応する説明情報（本文）画面Ｇ３が表示される。このため、テレビジョン放送を受信した所望の番組のテレビ画像として与えられた情報であっても、当該テレビ画像内の所望の文字列を直接指定して容易にジャンプ辞書検索を行うことができるという利点だけでなく、番組分類に関係の深い辞書を検索先として効率的且つ高確度な見出し語検索およびその説明情報を表示させることができる。
【００７５】
なお、前記各実施形態において記載した手法、すなわち、図２のフローチャートに示す第１実施形態のジャンプ検索処理(1)、図４のフローチャートに示す第２実施形態のジャンプ検索処理(2)、図７のフローチャートに示す第３実施形態のジャンプ検索処理(3)などの各手法は、コンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（１４）に格納して配布することができる。そして、辞書データベース１２ｄさらにテレビ画像の取得機能（１８）を有するコンピュータは、この外部記憶媒体（１４）に記憶されたプログラムを記憶装置（１２）（１３）に読み込み、この読み込んだプログラムによって動作が制御されることにより、前記各実施形態において説明したジャンプ検索表示機能を実現し、前述した手法による同様の処理を実行することができる。
【００７６】
また、前記各手法を実現するためのプログラムのデータは、プログラムコードの形態として通信ネットワーク（公衆回線）上を伝送させることができ、この通信ネットワークに接続された通信装置（図示せず）によって前記プログラムデータを前記辞書データベース１２ｄさらにテレビ画像の取得機能（１８）を有するコンピュータに取り込み、前述したジャンプ検索表示機能を実現することもできる。
【００７７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７８】
【図１】本発明の辞書検索装置の実施形態に係る携帯機器（電子辞書）１０の電子回路の構成を示すブロック図。
【図２】前記携帯機器（電子辞書）１０による第１実施形態のジャンプ検索処理(1)を示すフローチャート。
【図３】前記第１実施形態のジャンプ検索処理(1)に伴う表示動作を説明するための表示状態図。
【図４】前記携帯機器（電子辞書）１０による第２実施形態のジャンプ検索処理(2)を示すフローチャート。
【図５】前記第２実施形態のジャンプ検索処理(2)に伴う表示動作の具体例（その１）を説明するための表示状態図。
【図６】前記第２実施形態のジャンプ検索処理(2)に伴う表示動作の具体例（その２）を説明するための表示状態図。
【図７】前記携帯機器（電子辞書）１０による第３実施形態のジャンプ検索処理(3)を示すフローチャート。
【図８】前記第３実施形態のジャンプ検索処理(3)に伴う表示動作を説明するための表示状態図。
【符号の説明】
【００７９】
１０  …携帯機器（電子辞書）
１１  …ＣＰＵ（コンピュータ）
１２  …ＲＯＭ
１２ａ…見出し語検索プログラム
１２ｂ…文字認識プログラム
１２ｃ…見出し語＆本文検索プログラム
１２ｄ…辞書データベース
１３  …ＲＡＭ
１４  …外部記憶媒体
１５  …外部入出力Ｉ／Ｆ
１６  …入力部
１６ａ…文字入力キー
１６ｂ…カーソルキー
１６ｃ…ジャンプモードキー
１６ｄ…決定キー
１７  …表示部
１８  …テレビ映像受信部
Ｇ  …説明情報（画像）画面
Ｇ１…ジャンプ先辞書選択画面
Ｇ２…見出し語一覧画面
Ｇ３…説明情報（本文）画面
Ｇｔ…テレビ画像（静止画）
Ｗ  …説明情報（本文）ウインドウ
Ｈ  …指定範囲
Ｃ  …反転カーソル
【図１】
2008225676.tif 000003
【図２】
2008225676.tif 000004
【図３】
2008225676.tif 000005
【図４】
2008225676.tif 000006
【図５】
2008225676.tif 000007
【図６】
2008225676.tif 000008
【図７】
2008225676.tif 000009
【図８】
2008225676.tif 000010